【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
無線ネットワークにおいて通信するように構成されるユーザー端末(ＵＥ)の使用方法であって、
前記ＵＥに対する物理ダウンリンク共有チャンネル(ＰＤＳＣＨ)をスケジューリングするダウンリンク制御情報(ＤＣＩ)を受信するステップと、
前記ＰＤＳＣＨの復調のために提供されるＵＥ-特定復調基準信号(ＵＥ-ＲＳ)を受信するステップと、を有し、  前記ＵＥ-ＲＳは、初期値を用いて初期化された疑似ランダムシーケンスを用いて生成され、
前記ＤＣＩは、スクランブリング識別子と仮想セルＩＤを指示するように構成される１ビットスクランブリング識別子(ＳＣＩＤ)情報フィールドを含み、
前記初期値は、前記スクランブリング識別子に基づいて決定される
ことを特徴とする方法。
【請求項２】
前記１ビットＳＣＩＤ情報フィールドは、前記スクランブリング識別子と前記仮想セルＩＤを含む値の２個の候補対のうち一つの対を指示するように構成されることを特徴とする請求項１に記載の方法。
【請求項３】
前記ＤＣＩの前記ＳＣＩＤ情報フィールドは、標準規格３ＧＰＰＬＴＥ  ＤＣＩフォーマット２Ｂ又はＤＣＩフォーマット２ＣのＳＣＩＤフィールドを代替することを特徴とする請求項１に記載の方法。
【請求項４】
前記値の２個の候補対は、２個の無線リソース制御(ＲＲＣ)-構成値であるＲＲＣ_ＳＣＩＤ０及びＲＲＣ_ＳＣＩＤ１に関連され、ＲＲＣ_ＳＣＩＤ０とＲＲＣ_ＳＣＩＤ１の各々は
【数１】
2014527750.tif 000001
に対する値の対を含み、
ここで、ｎSCID はスクランブリング識別子であり、
【数２】
2014527750.tif 000002
は仮想セルＩＤであることを特徴とする請求項２に記載の方法。
【請求項５】
【数３】
2014527750.tif 000003
に対する前記値の２個の候補対は
【数４】
2014527750.tif 000004
と
【数５】
2014527750.tif 000005
を含み、
【数６】
2014527750.tif 000006
と
【数７】
2014527750.tif 000007
はＲＲＣ-構成であり、
ここで、ｎSCIDはスクランブリング識別子であり、
【数８】
2014527750.tif 000008
は仮想セルＩＤであることを特徴とする請求項２に記載の方法。
【請求項６】
複数の物理アップリンクチャンネル(ＰＵＣＣＨ)のうち選択されたＰＵＣＣＨでハイブリッド自動再送要求認知信号(ＨＡＲＱ-ＡＣＫ)を送信するステップをさらに有し、
前記複数のＰＵＣＣＨは、複数のゾーンに分割され、
前記ゾーンのうち第１のゾーンは、第１のＵＥ-特定アップリンク基準信号(ＵＬ  ＲＳ)ベースシーケンスに関連され、前記ゾーンのうち第２のゾーンは第２のＵＥ-特定ＵＬ  ＲＳベースシーケンスに関連されることを特徴とする請求項１に記載の方法。
【請求項７】
前記第１のＰＵＣＣＨゾーンは前記ＳＣＩＤ情報フィールドの第１の値により指示され、前記第２のＰＵＣＣＨゾーンは前記ＳＣＩＤ情報フィールドの第２の値により指示されることを特徴とする請求項６に記載の方法。
【請求項８】
前記ＤＣＩは、物理ダウンリンク制御チャンネル(ＰＤＣＣＨ)又は向上した物理ダウンリンク制御チャンネル(ｅＰＤＣＣＨ)で送信され、
前記ＨＡＲＱ-ＡＣＫに対する前記ＰＵＣＣＨのインデックスは、下記の数式により決定され、
【数９】
2014527750.tif 000009
ここで、
【数１０】
2014527750.tif 000010
はＲＲＣ構成であり、
ｎＣＣＥは前記ＰＤＣＣＨの最小制御チャンネルエレメント(ＣＣＥ)番号であり、ｎoffsetは複数の所定候補値のうち選択されたオフセット値であることを特徴とする請求項５に記載の方法。
【請求項９】
前記複数の所定候補値のうち第１の候補値は前記ＳＣＩＤ情報フィールドの第１の値により指示され、前記複数の所定候補値のうち第２の候補値は前記ＳＣＩＤ情報フィールドの第２の値により指示されることを特徴とする請求項８に記載の方法。
【請求項１０】
前記初期値Ｃinitは次の数式により決定され、
【数１１】
2014527750.tif 000011
ここで、ｎSCID はスクランブリング識別子であり、
【数１２】
2014527750.tif 000012
は仮想セルＩＤであり、ｎsはスロット番号であることを特徴とする請求項１に記載の方法。
【請求項１１】
無線ネットワークにおいて通信するように構成されるユーザー端末(ＵＥ)であって、
前記ＵＥに対する物理ダウンリンク共有チャンネル(ＰＤＳＣＨ)をスケジューリングするダウンリンク制御情報(ＤＣＩ)を受信し、
前記ＰＤＳＣＨに対する復調のために提供されるＵＥ-特定復調基準信号(ＵＥ-ＲＳ)を受信するように構成されるプロセッサを含み、
前記ＵＥ-ＲＳは、初期値を用いて初期化された疑似ランダムシーケンスを用いて生成され、
前記ＤＣＩは、スクランブリング識別子と仮想セルＩＤを指示するように構成される１ビットスクランブリング識別子(ＳＣＩＤ)情報フィールドを含み、
前記初期値は、前記スクランブリング識別子に基づいて決定されることを特徴とするユーザー端末。
【請求項１２】
前記１ビットＳＣＩＤ情報フィールドは、前記スクランブリング識別子と前記仮想セルＩＤを含む値の２個の候補対のうち一つの対を指示するように構成されることを特徴とする請求項１１に記載のユーザー端末。
【請求項１３】
前記ＤＣＩの前記ＳＣＩＤ情報フィールドは、標準規格３ＧＰＰＬＴＥ  ＤＣＩフォーマット２Ｂ又はＤＣＩフォーマット２ＣのＳＣＩＤフィールドに代わることを特徴とする請求項１１に記載のユーザー端末。
【請求項１４】
前記値の２個の候補対は、２個の無線リソース制御(ＲＲＣ)-構成値であるＲＲＣ_ＳＣＩＤ０及びＲＲＣ_ＳＣＩＤ１に関連され、ＲＲＣ_ＳＣＩＤ０とＲＲＣ_ＳＣＩＤ１の各々は
【数１３】
2014527750.tif 000013
に対する値の対を含み、
ここで、ｎSCIDはスクランブリング識別子であり、
【数１４】
2014527750.tif 000014
は仮想セルＩＤであることを特徴とする請求項１２に記載のユーザー端末。
【請求項１５】
【数１５】
2014527750.tif 000015
に対する前記値の２個の候補対は
【数１６】
2014527750.tif 000016
と
【数１７】
2014527750.tif 000017
を含み、
【数１８】
2014527750.tif 000018
と
【数１９】
2014527750.tif 000019
はＲＲＣ-構成であり、
ここで、ｎSCID はスクランブリング識別子であり、
【数２０】
2014527750.tif 000020
は仮想セルＩＤであることを特徴とする請求項１２に記載のユーザー端末。
【請求項１６】
前記プロセッサは、
複数の物理アップリンクチャンネル(ＰＵＣＣＨ)のうち選択されたＰＵＣＣＨでハイブリッド自動再送要求認知信号(ＨＡＲＱ-ＡＣＫ)を送信するようにさらに構成され、
前記複数のＰＵＣＣＨは、複数のゾーンに分割され、
前記ゾーンのうち第１のゾーンは、第１のＵＥ-特定アップリンク基準信号(ＵＬ  ＲＳ)ベースシーケンスに関連され、前記ゾーンのうち第２のゾーンは第２のＵＥ-特定ＵＬ  ＲＳベースシーケンスに関連されることを特徴とする請求項１１に記載のユーザー端末。
【請求項１７】
前記第１のＰＵＣＣＨゾーンは前記ＳＣＩＤ情報フィールドの第１の値により指示され、前記第２のＰＵＣＣＨゾーンは前記ＳＣＩＤ情報フィールドの第２の値により指示されることを特徴とする請求項１６に記載のユーザー端末。
【請求項１８】
前記ＤＣＩは、物理ダウンリンク制御チャンネル(ＰＤＣＣＨ)又は向上した物理ダウンリンク制御チャンネル(ｅＰＤＣＣＨ)で送信され、
前記ＨＡＲＱ-ＡＣＫに対する前記ＰＵＣＣＨのインデックスは、下記の数式により決定され、
【数２１】
2014527750.tif 000021
ここで、
【数２２】
2014527750.tif 000022
はＲＲＣ構成であり、
ｎＣＣＥは前記ＰＤＣＣＨの最小制御チャンネルエレメント(ＣＣＥ)番号であり、ｎoffsetは複数の所定候補値のうち選択されたオフセット値であることを特徴とする請求項１６に記載のユーザー端末。
【請求項１９】
前記複数の所定候補値のうち第１の候補値は前記ＳＣＩＤ情報フィールドの第１の値により指示され、前記複数の所定候補値のうち第２の候補値は前記ＳＣＩＤ情報フィールドの第２の値により指示されることを特徴とする請求項１８に記載のユーザー端末。
【請求項２０】
前記初期値Ｃinitは次の数式により決定され、
【数２３】
2014527750.tif 000023
ここで、ｎSCID はスクランブリング識別子であり、
【数２４】
2014527750.tif 000024
は仮想セルＩＤであり、ｎsはスロット番号であることを特徴とする請求項１１に記載のユーザー端末。
【請求項２１】
複数のユーザー端末(ＵＥ)と通信するように構成される基地局であって、
前記ＵＥに対する物理ダウンリンク共有チャンネル(ＰＤＳＣＨ)をスケジューリングするダウンリンク制御情報(ＤＣＩ)を送信し、
前記ＰＤＳＣＨに対する復調のために提供されるＵＥ-特定復調基準信号(ＵＥ-ＲＳ)を送信するように構成されるプロセッサを含み、
前記ＵＥ-ＲＳは、初期値を用いて初期化された疑似ランダムシーケンスを用いて生成され、
前記ＤＣＩは、スクランブリング識別子と仮想セルＩＤを指示するように構成される１ビットスクランブリング識別子(ＳＣＩＤ)情報フィールドを含み、
前記初期値は、前記スクランブリング識別子に基づいて決定される
ことを特徴とする基地局。
【請求項２２】
前記１ビットＳＣＩＤ情報フィールドは、前記スクランブリング識別子と前記仮想セルＩＤを含む値の２個の候補対のうち一つの対を指示するように構成されることを特徴とする請求項２１に記載の基地局。
【請求項２３】
前記ＤＣＩの前記ＳＣＩＤ情報フィールドは、標準規格３ＧＰＰＬＴＥ  ＤＣＩフォーマット２Ｂ又はＤＣＩフォーマット２ＣのＳＣＩＤフィールドを代替することを特徴とする請求項２１に記載の基地局。
【請求項２４】
前記値の２個の候補対は、２個の無線リソース制御(ＲＲＣ)-構成値であるＲＲＣ_ＳＣＩＤ０及びＲＲＣ_ＳＣＩＤ１に関連され、ＲＲＣ_ＳＣＩＤ０とＲＲＣ_ＳＣＩＤ１の各々は
【数２５】
2014527750.tif 000025
に対する値の対を含み、
ここで、ｎSCID はスクランブリング識別子であり、
【数２６】
2014527750.tif 000026
は仮想セルＩＤであることを特徴とする請求項２２に記載の基地局。
【請求項２５】
【数２７】
2014527750.tif 000027
に対する前記値の２個の候補対は
【数２８】
2014527750.tif 000028
と
【数２９】
2014527750.tif 000029
を含み、
【数３０】
2014527750.tif 000030
と
【数３１】
2014527750.tif 000031
はＲＲＣ-構成であり、
ここで、ｎSCID はスクランブリング識別子であり、
【数３２】
2014527750.tif 000032
は仮想セルＩＤであることを特徴とする請求項２２に記載の基地局。
【請求項２６】
前記プロセッサは、
複数の物理アップリンクチャンネル(ＰＵＣＣＨ)のうち選択されたＰＵＣＣＨでハイブリッド自動再送要求認知信号(ＨＡＲＱ-ＡＣＫ)を受信するようにさらに構成され、
前記複数のＰＵＣＣＨは、複数のゾーンに分割され、
前記ゾーンのうち第１のゾーンは、第１のＵＥ-特定アップリンク基準信号(ＵＬ  ＲＳ)ベースシーケンスに関連され、前記ゾーンのうち第２のゾーンは第２のＵＥ-特定ＵＬ  ＲＳベースシーケンスに関連されることを特徴とする請求項２１に記載の基地局。
【請求項２７】
前記第１のＰＵＣＣＨゾーンは前記ＳＣＩＤ情報フィールドの第１の値により指示され、前記第２のＰＵＣＣＨゾーンは前記ＳＣＩＤ情報フィールドの第２の値により指示されることを特徴とする請求項２６に記載の基地局。
【請求項２８】
前記ＤＣＩは、物理ダウンリンク制御チャンネル(ＰＤＣＣＨ)又は向上した物理ダウンリンク制御チャンネル(ｅＰＤＣＣＨ)で送信され、
前記ＨＡＲＱ-ＡＣＫに対する前記ＰＵＣＣＨのインデックスは、下記の数式により決定され、
【数３３】
2014527750.tif 000033
ここで、
【数３４】
2014527750.tif 000034
はＲＲＣ構成であり、
ｎＣＣＥは前記ＰＤＣＣＨの最小制御チャンネルエレメント(ＣＣＥ)番号であり、ｎoffsetは複数の所定候補値のうち選択されたオフセット値であることを特徴とする請求項２６に記載の基地局。
【請求項２９】
前記複数の所定候補値のうち第１の候補値は前記ＳＣＩＤ情報フィールドの第１の値により指示され、前記複数の所定候補値のうち第２の候補値は前記ＳＣＩＤ情報フィールドの第２の値により指示されることを特徴とする請求項２８に記載の基地局。
【請求項３０】
前記初期値Ｃinitは次の数式により決定され、
【数３５】
2014527750.tif 000035
ここで、ｎSCID はスクランブリング識別子であり、
【数３６】
2014527750.tif 000036
は仮想セルＩＤであり、ｎsはスロット番号であることを特徴とする請求項２１に記載の基地局。